【手続補正書】
【提出日】平成19年7月31日(2007.7.31)
【手続補正１】
【補正対象書類名】明細書
【補正対象項目名】特許請求の範囲
【補正方法】変更
【補正の内容】
【特許請求の範囲】
【請求項１】  オンライン回線を介して提示された商品情報に含まれる商品を、オンライン回線に接続された注文側端末から注文するときに、前記商品に関連する情報を提示する商品情報提示方法であって、
サーバーが、
操作者が前記注文側端末を操作することによって指定されてオンライン回線を介して受け取った前記商品情報に含まれる注文予定商品を特定するステップと、
前記注文予定商品の料金情報を生成するステップと、
前記注文予定商品に関連する注文条件を選択するステップと、
前記注文条件に該当する手数料情報を生成するステップと、
前記注文予定商品について、前記料金情報と、前記注文条件毎の前記手数料情報とを含む注文予定商品一覧情報を生成するステップと、
前記注文予定商品一覧情報をオンライン回線を介して注文側端末に送信するステップと
の各ステップを実行することを特徴とする商品情報提示方法。
【請求項２】  前記注文条件は、前記商品の受け取り条件及び料金の支払い条件の少なくとも一方の条件であることを特徴とする請求項１に記載の商品情報提示方法。
【請求項３】  前記注文予定商品に付加可能な付加価値に対応する付加価値情報をさらに生成するステップと、
該付加価値情報を前記注文予定商品一覧情報に付加するステップと
を含むことを特徴とする請求項１または請求項２に記載の商品情報提示方法。
【請求項４】  前記付加価値情報に該当する付加料金情報を生成するステップと、
生成した付加料金情報を前記注文予定商品一覧情報に付加するステップと
を含むことを特徴とする請求項３に記載の商品情報提示方法。
【請求項５】  オンライン回線を介して受け取った付加価値の付加を特定するステップと、
前記付加価値情報に該当する付加料金情報を生成するステップと、
生成した付加料金情報を前記注文予定商品一覧情報に付加しオンライン回線を介して注文側端末に送信するステップと
の各ステップを実行することを特徴とする請求項３に記載の商品情報提示方法。
【請求項６】  前記操作者に対して予め定めた料金割引情報をさらに生成するステップと、
該料金割引情報を前記注文予定商品一覧情報に付加するステップと
を含むことを特徴とする請求項１〜請求項５の何れか１項に記載の商品情報提示方法。
【請求項７】  前記操作者に対して予め定めた料金割引情報を参照するためのクーポン情報を前記注文予定商品一覧情報に付加するステップと、
オンライン回線を介して受け取った前記クーポン情報の受諾を特定するステップと、
前記料金割引情報を生成するステップと、
生成した料金割引情報を前記注文予定商品一覧情報に付加しオンライン回線を介して注文側端末に送信するステップと
を含むことを特徴とする請求項１〜請求項５の何れか１項に記載の商品情報提示方法。
【請求項８】  前記注文予定商品の在庫情報を参照するステップと、
前記注文予定商品の在庫がない場合に、当該注文予定商品を取り寄せることを依頼する取寄情報を前記注文予定商品一覧情報に付加するステップと
を含むことを特徴とする請求項１乃至請求項７の何れか１項に記載の商品情報提示方法。
【請求項９】  サーバーが、
請求項１〜請求項８の何れか１項に記載の商品情報提示方法で提示された注文予定商品一覧情報に基づいて操作者によって指定されかつオンライン回線を介して受け取った指定情報から注文商品を選択するステップと、
前記注文商品を前記注文条件に従って処理するステップと、
の各ステップを実行する商品の注文方法。
【請求項１０】  サーバーが、
請求項８に記載の商品情報提示方法で提示された注文予定商品一覧情報に基づいて操作者によって指定された注文でかつオンライン回線を介して受け取った指定情報から注文商品を選択するステップと、
前記取寄情報による取寄依頼を受け取ったとき、前記取寄情報に該当する注文商品の取り寄せを表す依頼情報を、オンライン回線を介して該当商品流通側端末に送信するステップと、
該当商品流通側端末側から前記依頼情報を非受諾の返答がなされたとき、前記操作者によって指定された注文を中止するステップと、
前記操作者へ前記注文を中止したことを報知するステップと、
の各ステップを実行する商品の注文方法。
【請求項１１】  サーバーが、
請求項８に記載の商品情報提示方法で提示された注文予定商品一覧情報に基づいて操作者によって指定された注文でかつオンライン回線を介して受け取った指定情報から注文商品を選択するステップと、
前記取寄情報による取寄依頼を受け取ったとき、前記取寄情報に該当する注文商品の取り寄せを表す依頼情報を、オンライン回線を介して該当商品流通側端末に送信するステップと、
該当商品流通側端末側から前記依頼情報を非受諾の返答がなされたとき、前記操作者によって指定された注文を中止するステップと、
再注文として、前記非受諾の返答がなされた依頼情報に対応する注文商品を除く、対応可能な注文商品で前記指定情報を再構築するステップと、
再構築した再指定情報から再注文商品を選択するステップと、
再注文商品を前記注文条件に従って処理するステップと、
前記操作者へ前記注文を中止し、対応可能な注文商品を再注文したことを報知するするステップと、
の各ステップを実行する商品の注文方法。
【請求項１２】  前記該当商品流通側端末側から前記依頼情報を非受諾の返答がなされたとき、前記操作者によって指定された注文を留保するステップと、
前記再注文を行うか、注文を中止するかを指示することを、前記操作者へを報知するステップと、
を含むことを特徴とする請求項１１に記載の商品の注文方法。
【請求項１３】  オンライン回線に接続可能でかつ操作者の固有情報が登録済みの予め定めた情報処理側装置と操作側端末との接続から、前記商品に関連する情報を授受するための接続に切り換える接続要求情報を受け取るステップと、
前記登録済みの固有情報を前記情報処理側装置から受け取るステップと、
受け取った固有情報に基づいて、前記商品に関連する情報を授受するときに用いるための使用情報を生成するステップと、
を含むことを特徴とする請求項１乃至請求項８の何れか１項に記載の商品情報提示方法または請求項９乃至請求項１２の何れか１項に記載の商品の注文方法。
【請求項１４】  サーバーが、
オンライン回線に接続された注文側端末から注文するときにオンライン回線を介して商品に関連する情報を提示することが可能な商品情報提示装置を含むと共に、各々コンテンツ情報を提示可能な複数の情報処理側装置の何れかに接続することを選択するための選択情報を、オンライン回線を介して操作側端末へ送信するステップと、
前記選択情報に基づいて操作者によって指定されてオンライン回線を介して受け取った情報から接続のための第１の情報処理側装置を特定するステップと、
特定した第１の情報処理側装置について操作者の固有情報が非登録であるとき、操作者の固有情報が登録済みの第２の情報処理側装置から該固有情報を受け取るステップと、
受け取った固有情報に基づいて、前記第１の情報処理装置に接続して用いるための使用情報を生成するステップと、
の各ステップを実行することを特徴とする情報提示方法。
【手続補正２】
【補正対象書類名】明細書
【補正対象項目名】０００６
【補正方法】変更
【補正の内容】
【０００６】
【課題を解決するための手段】
上記目的を達成するために本発明は、オンライン回線を介して提示された商品情報に含まれる商品を、オンライン回線に接続された注文側端末から注文するときに、前記商品に関連する情報を提示する商品情報提示方法であって、サーバーが、操作者が前記注文側端末を操作することによって指定されてオンライン回線を介して受け取った前記商品情報に含まれる注文予定商品を特定するステップと、前記注文予定商品の料金情報を生成するステップと、前記注文予定商品に関連する注文条件を選択するステップと、前記注文条件に該当する手数料情報を生成するステップと、前記注文予定商品について、前記料金情報と、前記注文条件毎の前記手数料情報とを含む注文予定商品一覧情報を生成するステップと、前記注文予定商品一覧情報をオンライン回線を介して注文側端末に送信するステップとの各ステップを実行する。
【手続補正３】
【補正対象書類名】明細書
【補正対象項目名】０１１８
【補正方法】変更
【補正の内容】
【０１１８】
【発明の効果】
以上説明したように本発明によれば、インターネット等のオンライン回線を介して商品を注文するにあって、事前に注文予定商品に対する注文条件、具体的には、商品の受け取り条件及び料金の支払条件の少なくとも一方の条件に対応した、手数料情報を含む一覧情報を提示できるので、商品を注文する以前に、例えば受取方や支払方に対応した料金を事前に把握でき、希望する条件により商品を注文する処理へ容易に移行することができる、という効果がある。